(57)【要約】【課題】シリンダカバーの取付構造に関し、悪戯、誤操作等によるシリンダカバーの破壊を確実に防止できることを目的とする。【解決手段】解錠キー１により施解錠操作可能なシリンダ錠２と、  シリンダ錠２の取付基体３に回転自在に連結され、閉蓋状態においてシリンダ錠２の頭部を覆い隠すシリンダカバー４とを有し、  前記取付基体３には、閉蓋状態のシリンダカバー４が引き起こし操作の際に使用する指掛け代を残すことなく嵌合されて収容されるカバー嵌合凹部５と、  閉蓋状態におけるシリンダカバー４の裏面に沿った前記解錠キー１の挿入を許容するキー受容部６とが設けられるとともに、  前記シリンダカバー４の裏面には、キー受容部６に挿入された解錠キー１の先端に干渉し、解錠キー１の挿入操作力から開蓋方向の回転モーメントを得る干渉突部７が設けられ、  キー受容部６への解錠キー１の挿入操作によりシリンダカバー４を適宜角度開蓋方向に回転させるように構成する。【選択図】図３
2009221749.tif 000002
【特許請求の範囲】
【請求項１】
解錠キーにより施解錠操作可能なシリンダ錠と、
シリンダ錠の取付基体に回転自在に連結され、閉蓋状態においてシリンダ錠の頭部を覆い隠すシリンダカバーとを有し、
前記取付基体には、閉蓋状態のシリンダカバーが引き起こし操作の際に使用する指掛け代を残すことなく嵌合されて収容されるカバー嵌合凹部と、
閉蓋状態におけるシリンダカバーの裏面に沿った前記解錠キーの挿入を許容するキー受容部とが設けられるとともに、
前記シリンダカバーの裏面には、キー受容部に挿入された解錠キーの先端に干渉し、解錠キーの挿入操作力から開蓋方向の回転モーメントを得る干渉突部が設けられ、
キー受容部への解錠キーの挿入操作によりシリンダカバーを適宜角度開蓋方向に回転させるシリンダカバーの取付構造。
【請求項２】
前記干渉突部はシリンダカバーの回転中心近傍に配置されるとともに、キー受容部は、シリンダカバーの回転基端側辺縁に対応して設けられる請求項１記載のシリンダカバーの取付構造。
【請求項３】
前記シリンダカバーは、
開蓋回転位置と閉蓋回転位置との中間に位置する中立範囲から開蓋回転位置側に偏った際には開蓋回転位置側への付勢力が、
閉蓋回転位置側に偏った際には閉蓋回転位置側への付勢力が発生するトルクヒンジにより取付基体に連結されるとともに、
前記シリンダカバーは、解錠キー先端での押圧操作により中立範囲まで回転駆動される請求項１または２記載のシリンダカバーの取付構造。
【請求項４】
電子的認証手段の補助的施解錠手段としてシリンダ錠が設けられた施解錠制御装置であって、
前記シリンダ錠が、請求項１、２、または３記載のシリンダカバーの取付構造により装着されたシリンダカバーにより覆われる施解錠制御装置。
【請求項５】
前記キー受容部が扉への設置状態において下方に向けて開放される請求項４記載の施解錠制御装置。
【発明の詳細な説明】
【技術分野】
【０００１】
本発明は、シリンダカバーの取付構造に関するものである。
【背景技術】
【０００２】
シリンダ錠を覆い隠すシリンダカバーの自由な開放操作を規制するようにしたシリンダカバーの取付構造としては、特許文献１に記載のものが知られている。
【０００３】
この従来例において、シリンダ錠を保持する台座環体に連結されるキャップ盤（シリンダカバー）は、回転操作軸に対して直交面内で回転自在であり、シリンダ錠を覆う閉蓋状態において錠止体に係止されて回転操作が規制される。錠止体は、バネ板状のアーム板に固定されており、シリンダカバーの開扉操作は、台座環体とシリンダカバーとの境界に形成される解錠操作用切欠部から解錠キーを挿入した後、該解錠キーによりアーム板を押し下げて錠止体の係止を解除して行われる。
【特許文献１】実開平４-５１５７１号公報
【発明の開示】
【発明が解決しようとする課題】
【０００４】
しかし、上述した従来例には以下の問題がある。すなわち、上述した従来例において、シリンダカバーの開扉操作規制は、錠止体による回転規制により行われており、シリンダカバーへの回転操作力付与は禁止されない。このため、シリンダカバーを無理に回転させようとする悪戯、誤操作等を防止することができず、結果、当該操作によるシリンダカバーの破壊等を防止できない。
【０００５】
本発明は、以上の欠点を解消すべくなされたものであって、悪戯、誤操作等によるシリンダカバーの破壊を確実に防止できるシリンダカバーの取付構造の提供を目的とする。また、本発明のための目的は、上述した取付構造を採用した施解錠制御装置の提供にある。
【課題を解決するための手段】
【０００６】
シリンダカバー４は、裏面に干渉突部７を備えて閉蓋状態と開蓋状態との間で回転操作され、閉蓋状態においてシリンダ錠２の頭部を覆い隠す。閉蓋状態にあるとき、シリンダカバー４は、引き起こし操作を行う場合に必要な指掛かり部を残すことなく、取付基部に形成されたカバー嵌合凹部５内に嵌合しており、この状態でのシリンダカバー４への開放操作が禁止される。
【０００７】
閉蓋状態からのシリンダカバー４の操作は、キー受容部６への解錠キー１の挿入によって行われ、キー受容部６に挿入された解錠キー１の先端によりシリンダカバー４の裏面に形成された干渉突部７を押すと、シリンダカバー４には開蓋方向の回転モーメントが発生する。これによりシリンダカバー４は所定角度開蓋方向に回転し、以後、回転により外部に現れた側壁等を指掛け代として利用し、開蓋操作を行うことができる。
【０００８】
したがってこの発明において、シリンダカバー４は開放操作に必要な指掛け代がない状態で閉蓋されるために、悪戯、誤操作等によってシリンダカバー４に負荷を与えることができず、結果、悪戯等によるシリンダカバー４の破壊が防止できる。また、シリンダカバー４の開放に際し、シリンダカバー４により覆われているシリンダ錠２を解錠するための解錠キー１があれば可能であり、特別な工具等を要しないために、使い勝手を低下させることがない。さらに、シリンダカバー４の開蓋操作は、解錠キー１をキー受容部６に挿入して行い、解錠キー１によるコジリ等を要しないために、コジリによる破壊等を確実に防止できる。
【０００９】
シリンダカバー４は、解錠キー１の挿入により完全に開蓋姿勢に移行する必要はなく、回転基端縁に直交する側壁、あるいは回転端縁が所定高さ取付基体３の表面から浮き上がり、これらを摘み、あるいは指掛け代としてさらに利用者が回転操作を行うことができる程度に回転すれば足りる。
【００１０】
また、閉蓋状態でのがたつきを防止するために、シリンダカバー４には閉蓋方向への付勢力を与えるのが望ましいが、この場合、トルクヒンジ８を使用することにより使い勝手をより向上させることができる。トルクヒンジ８には回転ストローク終端の中間位置にトルクが発生しない中立範囲が設定され、回転位置がこの中立範囲から、時計回り、あるいは反時計回りに逸れると、逸れた方向に付勢力が発生する。
【００１１】
このトルクヒンジ８を使用してシリンダカバー４を取付基体３に軸支すると、シリンダカバー４が開蓋回転位置と閉蓋回転位置との中間に位置する中立範囲から開蓋回転位置側に偏った際には開蓋回転位置側への付勢力が、閉蓋回転位置側に偏った際には閉蓋回転位置側への付勢力が発生する。一方、干渉突部７は、解錠キー１の挿入によりシリンダカバー４を閉蓋位置から中立範囲まで起立させるように設定されており、解錠キー１を挿入した後、解錠キー１を抜去しても、シリンダカバー４は閉蓋方向への復帰トルクを与えられることなく起立位置に保持される。
【００１２】
この結果、利用者は解錠キー１を挿入してシリンダカバー４を起立させた後、解錠キー１を抜去し、次いで、シリンダカバー４を開蓋方向に回転させた後、解錠キー１を使用してシリンダ錠２に対する解錠操作を行うことができる。
【００１３】
以上の取付構造は種々の製品に適用できるが、電子的認証手段９の補助的施解錠手段としてシリンダ錠２が設けられた施解錠制御装置に適用すると、通常の運用において使用しないシリンダ錠２の頭部の外部への露出を防ぐことができるために、施解錠制御装置に対する意匠的処理の自由度が高まる。施解錠制御装置としては、例えば、家屋の電気錠、自動車のドアハンドル装置等への適用が可能である。
【発明の効果】
【００１４】
本発明によれば、閉蓋状態におけるシリンダカバーへの開蓋操作力の負荷が規制されているために、悪戯、誤操作等によるシリンダカバーの破壊を確実に防止できる。
【発明を実施するための最良の形態】
【００１５】
図１、２に電気錠１１として構成された本発明の実施の形態を示す。電気錠１１は、後述するシリンダ錠２の取付基体３となる装置筐体３内に認証装置９と施解錠駆動ユニット１２とを収容して形成され、適宜手段により家屋の扉１０に固定される。
【００１６】
認証装置９は、テンキー９ａをマトリクス状に配置した暗証番号入力部９ｂからの入力と、予め登録されたコードとの一致を条件に入力操作者の施解錠操作権限を認証する。図１（ａ）に示すように、不使用時には閉じられている蓋板１３を図２（ａ）に示すように開いて認証番号入力部９ｂから入力した暗証番号に対する認証が成立すると、施解錠駆動ユニット１２内に配置された図外のモータが駆動されて駆動軸が回転し、扉１０内の箱錠１４を施解錠駆動する。
【００１７】
また、装置筐体３には、施解錠駆動ユニット１２の故障、あるいはバッテリボックス１５に収容されている電池１６の消耗による動作停止が発生した際の非常施解錠手段としてシリンダ錠２が装着される。非常時の使用を前提とするシリンダ錠２は、頭部が通常の運用時に外部に露出することのないように、シリンダカバー４により覆われ必要時にのみ図２（ｂ）に示すように、外部に露出される。シリンダカバー４によりシリンダ錠２の頭部を覆うことにより、意匠的な自由度を高めることが可能になる上に、恒常的なキー挿入開口２ａの露出によるシリンダ錠２内部への水、塵埃の侵入が防止される。
【００１８】
図３以下にシリンダカバー４の取付部の詳細を示す。図４、５に示すように、シリンダカバー４は、一側縁両端にヒンジブロック４ａを膨隆させた正面視矩形の板状部材であり、ヒンジブロック４ａに固定されるトルクヒンジ８を介して装置筐体３に固定される。トルクヒンジ８を連結するために、ヒンジブロック４ａには、側方に矩形の連結開口４ｂが開設される。
【００１９】
図４に示すように、トルクヒンジ８は、固定筒部８ａに可動部８ｂを相対回転自在に連結して形成される。可動部８ｂには固定筒部８ａに対する安定回転位置が設定されており、安定回転位置間の回転角（θ）のうち、安定回転位置から所定角度範囲（α）には付勢回転範囲が設定される。可動部８ｂは、付勢回転範囲以外の中立範囲にあるときは通常の可動軸として挙動し、付勢回転範囲に入ると固定筒部８ａ内に収容された図外のカム等によりトルクを与えられ、直近の安定回転位置側に向けて付勢される。
【００２０】
上記シリンダカバー４を連結するために、装置筐体３は筐体本体１７に固定されるヒンジ部材１８を備える。ヒンジ部材１８は、シリンダ受け凹部１８ａの中心部にシリンダ挿通孔１８ｂを開設した受け板部の一側縁に膨隆されるヒンジ固定部１８ｃを有し、受け板部を筐体本体１７側のヒンジ受け凹部１７ａに嵌合した後、シリンダ受け凹部１８ａをシリンダ錠２の頭部により挟み付けて筐体本体１７に固定される（図３参照）。また、ヒンジ部材１８には、受け板部１８ｄの裏面に突設され、筐体本体１７への固定状態において筐体本体１７側のＵ字凹部１７ｂに嵌合するＵ字突部１８ｅが設けられる。
【００２１】
ヒンジ固定部１８ｃには、両側方に向けて開口するヒンジ固定凹部１８ｆが開設され、トルクヒンジ８の固定筒部８ａが嵌合、固定される。図５に示すように、シリンダカバー４は、左右のヒンジブロック４ａでヒンジ固定部１８ｃを挟み、ヒンジ固定部１８ｃに固定筒部８ａが固定されたトルクヒンジ８の可動部８ｂをヒンジブロック４ａの連結開口４ｂに固定することによりヒンジ部材１８に連結される。
【００２２】
以上のようにして装置筐体３に連結されるシリンダカバー４を収容するために、装置筐体３には下方に向けて開放されたカバー嵌合凹部５が形成される（なお、本明細書においては、扉１０に取り付けた状態を基準に「上下」「正面」「裏面」を決定する。）。シリンダカバー４は、シリンダ錠２頭部を覆い隠す閉蓋状態においてカバー嵌合凹部５に嵌合し、図３（ａ）に示すように、表面が装置筐体３表面とほぼ同一面となる位置まで沈み込む。この状態でシリンダカバー４の回転基端を除く三辺縁はカバー嵌合凹部５の側壁に囲まれた状態となって、シリンダカバー４を引き起こすための指掛け代となる部位がないために、悪戯等により妄りに開放操作されることが防止される。
【００２３】
このシリンダカバー４を開放操作するために、装置筐体３にキー受容部６が、シリンダカバー４に干渉突部７が各々形成される。キー受容部６は、図４、５に示すように、筐体本体１７のヒンジ受け凹部１７ａの下端縁中心部に配置され、底壁が筐体本体１７側に、天井壁がヒンジ部材１８により形成される。キー受容部６は、シリンダ錠２の施解錠に使用する解錠キー１のブレード部１ａの幅寸法よりやや幅広に形成され、筐体本体１７側の構成部は、Ｕ字凹部１７ｂを基端として正面側に向けて斜め下方に傾斜してヒンジ受け凹部１７ａの底壁面に達する傾斜面１７ｃを底壁とする凹溝として形成される。
【００２４】
また、ヒンジ部材１８の裏面には、上記筐体本体１７側の底壁に対して解錠キー１のブレード部１ａの板厚よりやや大きな間隔をおいて正対する傾斜面１８ｇが形成され、筐体本体１７への固定状態においてキー受容部６の天井壁を構成する。
【００２５】
一方、干渉突部７は、図６に示すように、キー受容部６に挿入された解錠キー１のブレード部１ａ先端に干渉する位置に形成される。図６に示す解錠キー１の挿入状態からさらに解錠キー１を挿入すると、ブレード部１ａの先端は干渉突部７を押圧し、シリンダカバー４には開蓋方向のモーメントが発生する。図７（ａ）に示すように、先端がＵ字凹部１７ｂの底壁に当接するまでブレード部１ａを挿入した状態で、シリンダカバー４は所定回転角度回転する。この角度は、上述したトルクヒンジ８の中立範囲の回転位置であり、この状態から解錠キー１をキー受容部６から抜去しても、シリンダカバー４を当該回転位置に保持され、この後、図７（ｂ）に示すように、シリンダカバー４を開蓋位置まで回転させ、抜去した解錠キー１を使用してシリンダ錠２を操作することができる。
【００２６】
シリンダ錠２を操作した後、シリンダカバー４を閉蓋位置近傍の付勢回転範囲まで回転操作すると、トルクヒンジ８の付勢力によりシリンダカバー４は閉蓋位置まで強制回転駆動される。閉蓋状態でシリンダカバー４は、トルクヒンジ８によりオーバストローク方向に付勢されているために、がたつき等が防止される。
【図面の簡単な説明】
【００２７】
【図１】本発明を示す図で、（ａ）は正面図、（ｂ）は１Ｂ-１Ｂ線断面図である。
【図２】開蓋状態を示す図で、（ａ）は蓋板の開蓋状態を示す図、（ｂ）はシリンダカバーの蓋開状態を示す図である。
【図３】シリンダカバーを取り付けた状態を示す図で、（ａ）は側面図、（ｂ）は、要部断面図である。
【図４】シリンダカバーの取付部の組み付けを示す断面図である。
【図５】シリンダカバーの取付部の組み付けを示す正面図である。
【図６】キー受容部への解錠キーの挿入を示す図で、（ａ）は正面図、（ｂ）は断面図である。
【図７】シリンダカバーの開蓋操作を示す図で、（ａ）はトルクヒンジの中立範囲の回転位置までシリンダカバーを回転させた状態を示す図、（ｂ）はシリンダカバーを開蓋位置まで回転させた状態を示す図である。
【符号の説明】
【００２８】
１    解錠キー
２    シリンダ錠
３    取付基体
４    シリンダカバー
５    カバー嵌合凹部
６    キー受容部
７    干渉突部
８    トルクヒンジ
９    電子的認証手段
【図１】
2009221749.tif 000003
【図２】
2009221749.tif 000004
【図３】
2009221749.tif 000005
【図４】
2009221749.tif 000006
【図５】
2009221749.tif 000007
【図６】
2009221749.tif 000008
【図７】
2009221749.tif 000009